(57)【特許請求の範囲】
【請求項１】
走行機体の後部に連結装置を介して着脱可能に連結される機枠と、
この機枠に回転自在に設けられ、畦塗り用の泥土を切削して元畦箇所に供給する土盛体と、
この土盛体の後方に位置して、前記土盛体により供給された泥土を回転しながら元畦に塗りつけて、元畦を修復するドラム状の整畦体と、
を有する畦塗り機であって、
前記整畦体は、
回転しながら畦を形成する整畦ドラムを、回転中心から外周側に向けて複数の整畦板を周方向に等間隔に配設して形成し、
各前記整畦板の基端部は前記回転中心の取付基部に取り付けられ、
隣接する各前記整畦板同士を連結部材で相互に連結し、隣接する各前記整畦板の境界部分に段差部を形成し、
前記段差部は、内端側が狭く、外端側が広くなるように形成される
ことを特徴とする畦塗り機。
【請求項２】
上記整畦ドラムの隣接する整畦板は相互に所定の重なりを有し、その重なり部分に垂直段部を形成した
ことを特徴とする請求項１記載の畦塗り機。
【発明の詳細な説明】
【技術分野】
【０００１】
本発明は、土盛体により切削されて元畦箇所に供給された畦塗り用の泥土を、回転しながら元畦に塗りつけて、元畦を修復するドラム状の整畦体を改良した畦塗り機に関する。
【背景技術】
【０００２】
従来、走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復するドラム状の整畦体（整畦ドラム）とを備えた畦塗り機が周知である。そして、整畦ドラムの泥土を回転しながら元畦に塗りつけ回転しながら畦の内側面を修復する側面修復体は、円錐状の円弧面または円錐状の多段平面を有している。
【発明の概要】
【発明が解決しようとする課題】
【０００３】
上記従来の畦塗り機においては、整畦ドラムの側面修復体が円錐状の円弧面または円錐状の多段平面を有しており、しかも偏心回転しながら土盛体により供給された泥土を元畦に塗りつけて畦の内側面を修復するので、土盛体により切削されて元畦箇所に供給される泥土の状態によっては、所望の（十分な）元畦修復が行えない場合がある、という問題点があった。また、整畦ドラムは、円錐状の円弧面または円錐状の多段平面など有しているところから、その形状や製造上、作用等において改良すべき点があった。本発明は、上記の問題点を解決することを目的になされたものである。
【課題を解決するための手段】
【０００４】
上記の目的を達成するために本発明は、以下の構成を特徴としている。
Ａ．走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復するドラム状の整畦体と、を有する畦塗り機であって、前記整畦体は、回転しながら畦を形成する整畦ドラムを、回転中心から外周側に向けて複数の整畦板を周方向に等間隔に配設して形成し、各前記整畦板の基端部は前記回転中心の取付基部に取り付けられ、隣接する各前記整畦板同士を連結部材で相互に連結し、隣接する各前記整畦板の境界部分に段差部を形成し、前記段差部は、内端側が狭く、外端側が広くなるように形成される。
【０００５】
Ｂ．上記整畦ドラムの隣接する整畦板は相互に所定の重なりを有し、その重なり部分に垂直段部を形成した。
【０００７】
＜作用＞上記Ａ．〜Ｅ．の構成により本発明の畦塗り機における整畦体（整畦ドラム）は、以下の作用を行う。
（１）．回転しながら畦を形成する整畦ドラムは、回転中心から外周側に向けて複数の整畦板を周方向に等間隔に配設して形成し、各整畦板を相互に連結して各整畦板の境界部分に段差部を形成することで、整畦ドラムは土盛体により供給された泥土を、回転しながら各段差部により間欠的に叩打し、泥土を固めながら元畦に塗りつけ、従来の整畦ドラムに比べ良好な畦を形成する。
【０００８】
（２）．整畦ドラムの隣接する整畦板は相互に所定の重なりを有し、その重なり部分に垂直段部を形成することで、土盛体により供給された泥土を、回転しながら各垂直段部により間欠的に叩打しながら泥土を固めて元畦に塗りつけ、良好な畦を形成でき、しかも整畦板の重なり部分により泥土が整畦ドラムの内面側に侵入するのを少なくする。
（３）．複数の整畦板を、複数の連結部材により連結して整畦ドラムを形成することで、整畦ドラムの製造が簡単になる。
【０００９】
（４）．複数の連結部材を複数組のもので構成し、そのうちの少なくとも１組のものを整畦板に対し着脱可能とすることで、整畦ドラムの製造が容易となると共に、整畦板が損傷した場合には、その部分の補修が容易に行える。
（５）．複数組の連結部材のうちの少なくとも１組のものを、整畦板に対する固着位置を変更可能とすることで、整畦ドラムの製造が容易となり、整畦板が損傷した場合には補修が容易となる。
【図面の簡単な説明】
【００１０】
【図１】本発明による畦塗り機の側面図である。
【図２】同平面図である。
【図３】同背面図である。
【図４】整畦体の第１実施例の平面図（ａ）及び側面図（ｂ）である。
【図５】整畦体の第２実施例の平面図（ａ）及び側面図（ｂ）である。
【図６】整畦体の第３実施例の平面図である。
【図７】整畦体の第４実施例の平面図である。
【図８】整畦体の第５実施例の平面図（ａ）及び側面図（ｂ）である。
【図９】整畦体の第６実施例の平面図である。
【発明を実施するための形態】
【００１１】
以下、本発明の実施の形態を添付の図面を参照して具体的に説明する。図１〜図３において、符号１は図示しないトラクタの後部に設けられたトップリンク及び左右一対のロアリンクにより昇降可能に連結され、トラクタのＰＴＯ軸から動力を受けて土盛体５及びドラム状の整畦体６を回転駆動し、圃場において土盛体５により畦塗り用の泥土を切削して元畦箇所に供給し、該土盛体５により供給された泥土を整畦体６により元畦に塗りつけて元畦を修復する整畦作業を行う畦塗り機である。この畦塗り機１は、前記トップリンク及びロアリンクに連結されるトップマスト２及びロアリンク連結部３を、機枠４から前方に突出させた左右一対のヒッチフレーム１１に設け、土盛体５及びその後方に設けられる整畦体６は、機枠４により連結されて左右方向に配設されている。
【００１２】
機枠４は、伝動ケースを兼ねており、土盛体５及び整畦体６に動力を伝達するように連結している。該機枠４の基端部は、左右一対の支持フレーム７に左右回動（昇降）可能に支持され、機枠４を介して土盛体５及び整畦体６を作業位置と非作業位置とに回動するようにしている。機枠４の先端部には、前方に向け土盛体５に動力伝達するための出力軸を内装した伝動ケース８を一体的に設けると共に、後方に向け整畦体６を駆動するための伝動ケース９及び減速機構を内装したデフケース１０を一体的に設けている。
【００１３】
支持フレーム７は、その先端部に、水平方向の連結軸１３を介して左右一対のヒッチフレーム１１の基端部が上下回動可能に連結されて前方に向け延出されている。このヒッチフレーム１１の両先端部に前記トップマスト２が取付けられ、トラクタに設けられたトップリンクに連結ピンを介して上下回動可能に枢支される。また、ヒッチフレーム１１の両基端側に前記ロアリンク連結部３が取付けられ、トラクタに設けられた左右一対のロアリンクに連結ピンを介して上下回動可能に枢支される。そして、トラクタのロアリンクをロアリンク連結部３に連結して畦塗り機１を揚上させたとき、ヒッチフレーム１１と機枠４の基端部との間の連結軸１３を中心として機枠４、土盛体５、整畦ドラム６等は上下に回動可能となり、畦塗り機１を非作業位置に回動した状態で後述する作業部回動装置１９によりトラクタの後部に接近するのを防止する。
【００１４】
上記ヒッチフレーム１１，１１間には、前後方向に入力軸１２が軸支されている。この入力軸１２の先端部には、トラクタのＰＴＯ軸から図示しないユニバーサルジョイント、伝動軸等を介して動力が伝達される。入力軸１２の後方に位置する上記機枠４の基端部には、該基端部の垂直面内での回転中心となる回転軸１４が前後方向に軸支され、この回転軸１４の先端部と入力軸１２の後端部との間を図示しないユニバーサルジョイントにより連結し、このユニバーサルジョイントの位置で上下回動可能となっている。回転軸１４から動力が機枠４を通って伝動ケース８，９及びデフケース１０に伝達され、土盛体５及び整畦体６をそれぞれ駆動する。
【００１５】
回転軸１４には、入力軸１２から回転軸１４に伝達される回転動力を接，断するクラッチ（図示せず）が設けられている。このクラッチは、機枠４を介して土盛体５及び整畦体６を作業位置に回動したとき接続され、土盛体５及び整畦体６を非作業位置に回動したとき断たれるように作動する。また、このクラッチは、機枠４の基端部（回転軸１４）を中心に土盛体５及び整畦体６を作業位置と非作業位置に回動させたとき、作業位置では動力が接続状態となり、非作業位置では動力が断たれる状態になるように、土盛体５、整畦体６を作業位置と非作業位置に回動させる回動動作と連動して自動的に切換えられる。
【００１６】
土盛体５は、図示しないが、ロータリ軸（回転軸１４）の軸周に複数本の切削爪と土寄せ板を放射方向に装着すると共に、上側をカバーにより覆い、元畦の一部及び圃場の土壌を切削して元畦に対して畦状に盛り上げる周知のロータリ切削装置からなるものである。また、整畦体６は、図４以下に示すが、その第１の実施例のものは図４（ａ）、（ｂ）に示すように、偏心回転しながら畦の内側面を形成する整畦ドラム１５の外周面に、回転中心から外周側に向けて、その回転方向に後退角を有して螺旋状に捻曲する複数（実施例では８枚）の整畦板１５ａを周方向に等間隔に形成し、各整畦板１５ａは、平面視でトロコイド曲線上の点が連続した曲面を有し、整畦ドラム１５は、偏心回転しながら各整畦板１５ａを順に泥土に接して畦の内側面を形成するものである。各整畦板１５ａは大きさの異なる２枚の正方形状の連結部材１５ｂ，１５ｃの各角部により相互（１枚置き）に溶接により連結して各整畦板１５ａの境界部分に段差部１５ｄを形成し、整畦ドラム１５の平面視外周縁を円形に形成している。上記２つの連結部材１５ｂ，１５ｃのうち少なくとも連結部材１５ｂは、整畦板１５ａに対して着脱可能の構成にしてもよいものである。
【００１７】
整畦ドラム１５の回転中心には、元畦の上面を水平状に修復する円筒形状の上面修復体１６が設けられ、この上面修復体１６を中心に各整畦板１５ａが元畦の下方に向かって拡開し、元畦をテーパ状に修復するほぼ円錐形状の側面修復体を形成している。上面修復体１６は、外側に向け延長部が取付け可能である。各整畦板１５ａは、回転軸（上面修復体１６の回転中心）に対し傾斜した状態に固定され、また、各整畦板１５ａはそれぞれ上下に垂直段部を有して連結部材１５ｂ１５ｃにより固着されている。各整畦板１５ａにより形成される側面修復体及び上面修復体１６の上方は、カバーにより覆われている。
【００１８】
上記土盛体５の上側には、土盛量調節装置１７が設けられている。また、整畦ドラム１５の上側には、機枠４を介して土盛体５及び整畦体６を作業位置と非作業位置とに回動する際に用いる回動用取っ手１８が設けられている。前記ヒッチフレーム１１と機枠４との間には、畦塗り機１を機枠４の基端部を中心に回動させて機枠４を介して土盛体５及び整畦体６を作業位置と非作業位置に回動させる際、その回動作動により土盛体５及び整畦体６の前後姿勢を調節可能とした回転ハンドル２０を備えた作業部回動装置１９が平面視で前後斜め方向に設けられている。機枠４には、接地輪（コールタ）２１が上下調節装置２１ａを介して設けられている。
【００１９】
そして、作業者が回動用取っ手１８を持って左右方向に回動させることで、機枠４を介して土盛体５及び整畦体６が機枠４の基端部を中心に回動し、土盛体５及び整畦体６を非作業位置あるいは作業位置のいずれかに移動させる。上記機枠４の基端部の外周部には、土盛体５及び整畦体６を作業位置あるいは非作業位置に回動させたとき、それぞれの位置にロックする回動ロック装置４ａが設けられている。
【００２０】
ヒッチフレーム１１と機枠４の先端部との間には、土盛体５及び整畦体６を機枠４の基端部を中心に回動させて、土盛体５及び整畦体６を作業位置あるいは非作業位置に移動させる際に、補助的働きをするガススプリング２２が介装されている。このガススプリング２２は、機枠４を介して土盛体５及び整畦体６を作業位置から非作業位置に、あるいは非作業位置から作業位置に回動させるとき、土盛体５及び整畦体６を持ち上げるときは軽い力で揚上でき、土盛体５及び整畦体６を下降させるときはその自重により急激に降下しないように弾発作用をする。畦塗り機１には、トラクタに着脱するとき、あるいは移動させたり、収納したりする際に用いるスタンド２３が着脱可能に設けられている。
【００２１】
上記整畦ドラム１５は、上記図４の第１実施例のように、回転中心の取付け基部に、平面視で内端側の幅が狭く、外端側の幅が次第に広くなる複数枚の整畦板１５ａの基端部を、隣接する整畦板１５ａが相互に所定の重なりを有するよう取付け、該整畦板１５ａの重なり部分に、図示しないが折返し部を設けて上下に固着し、前記重なり部分の隙間は内端側が狭く、外端側が広くなるよう、螺旋状の垂直段部を形成してもよいものである。
【００２２】
図５（ａ）、（ｂ）に示す第２実施例の整畦ドラム２４は、図４の第１実施例の整畦ドラム１５とは、上面修復体１６の回転中心と偏心して外周側に向けて、その回転方向後側をわずかに突出させて直線状の後退角を有して複数（８枚）の整畦板２４ａを周方向に等間隔に配設し、外周縁を非円形に形成したほかは、整畦ドラム１５と同様の構成を有している。即ち、整畦ドラム２４は、平面視で回転中心から先端側に向けて内端側の幅が狭く、外端側の幅が次第に広くなる直線状の側縁を有する８枚の整畦板２４ａを、回転方向後側をわずかに突出させて平面視外周縁が非円形になるように設け、各整畦板２４ａは、隣接する整畦板２４ａが相互に所定の重なり部分２４ｂを有するよう連結部材２４ｃ，２４ｄにより固着している。そして、各整畦板２４ａの重なり部分２４ｂに、垂直段部２４ｅを形成したものである。
【００２３】
図６に示す第３実施例の整畦ドラム２５は、８枚の整畦板２５ａにより重なり部分２５ｂを有して形成されるドラムの内側に、４本の固定杆２５ｃを上面修復体１６の回転中心を通って放射方向に延びるようにして配設し、各固定杆２５ｃの両端部を、上面修復体１６を挟んで対向する整畦板２５ａ，２５ａにそれぞれ固着している。そして、各重なり部分２５ｂの回転方向後端部分に段部２５ｄを形成し、ドラムの外周縁は円形をなしている。図７に示す第４実施例の整畦ドラム２６は、図４の第１実施例の連結部材１５ｂ，１５ｃに代えてドラムの内側に８角形をなす１枚の個体板２６ｂを設けて、この固定板２６ｂの角部を各整畦板２６ａに固着し、上面修復体１６のボス部に取付けている。そして、各整畦板２６ａの境界部分に螺旋状の垂直段部２６ｃを形成している。
【００２４】
さらに、図８（ａ）、（ｂ）に示す第５実施例の整畦ドラム２７は、図５の第２実施例における整畦ドラム２４の連結部材２４ｃ，２４ｄに代えて、整畦ドラム２７のドラムの内側において、各整畦板２７ａの重なり部分２７ｂに沿って設けた２つの連結片２７ｃ，２７ｃにより固着している。そして、各整畦板２７ａの境界部分に直線状の垂直段部２７ｄを形成したものである。また、図９に示す第６実施例の整畦ドラム２８は、図４の第１実施例の連結部材１５ｂ，１５ｃに相当する連結部材２８ｂ，２８ｄのうちの連結部材２８ｂに、整畦板２８ａへの固着位置（角部）に着脱可能の取付け部２８ｃを設けている。そして、取付け部２８ｃにより固着された整畦板２８ａが損傷して、交換したり、補修したりする場合に取付け部２８ｃを着脱するようにしている。また、この取付け部２８ｃは整畦板に対する固着位置を変更可能であり、任意の整畦板２８ａに固着できる。
【００２５】
このような構成の畦塗り機１においては、トラクタの後部のトップリンクにトップマスト２を、ロアリンクにロアリンク連結部３をそれぞれ連結して、３点リンクにより昇降可能に連結する。トラクタのＰＴＯ軸からユニバーサルジョイント、伝動軸を介して入力軸１２に動力が伝達される。畦塗り機１が整畦作業を行うときは、土盛体５及び整畦体６を、機枠４の基端部を中心に回動させて非作業位置から作業位置に移動させる。この回動動作は、まずロック装置４ａのロックを解除し、作業者が回動用取っ手１８を持って回動することにより行われる。このとき、ガススプリング２２は、土盛体５、整畦体６を軽く持ち上げ、急激に降下しないように弾発作用する。土盛体５、整畦体６が作業位置に達すると回動ロック装置４ａは自動的にロックされる。
【００２６】
土盛体５、整畦体６が作業状態に回動する動作と連動して回転軸１４のクラッチが自動的に接続状態となる。そして、入力軸１２に受けた動力は、ユニバーサルジョイントを介して回転軸１４に伝達され、回転軸１４から機枠４を通って伝動ケース８，９及びデフケース１０に伝達され、土盛体５及び整畦体６をそれぞれ駆動する。そして、トラクタ２の走行と共に、土盛体５及び整畦体６により整畦作業が行われる。土盛体５及び整畦体６の作用深さを調節するときは、トラクタのロアリンクにより畦塗り機１の支持高さを変えることによって行うことができるが、基本的には接地輪２１を上下調節装置２１ａにより上下移動調節することにより行われる。また、回転ハンドル２０により作業部回動装置１９の前後長さを調節することにより、トラクタに対する畦塗り機１の前後作業姿勢を調節する。
【００２７】
土盛体５では切削爪と土寄せ板により元畦の一部及び圃場の土壌を切削して元畦側に対して畦状に盛り上げ、その盛り上げた土壌を整畦体６の整畦ドラム１５（あるいは２４，２５，２６，２７，２８のいずれか）の整畦面が偏心回転して畦法面を叩いて目的とする畦に成形する。また、水平円筒体１６により整畦ドラムによって成形された畦の頂部を平らに成形する。
【００２８】
畦塗り機１が作業を行わずにトラクタに連結されて路上走行するときは、土盛体５及び整畦体６を、回動用取っ手１８により機枠４の基端部を中心に回動させて非作業位置に移動させる。この回動動作は、まずロック装置４ａのロックを解除し、作業者が回動用取っ手１８を持って上方へ回転することにより行われる。このとき、ガススプリング２２は、土盛体５、整畦体６を軽い力で持ち上げて回動し、急激に降下しないように弾発作用する。土盛体５、整畦体６が非作業位置に達すると、回動ロック装置４ａにより自動的にロックされ、回転軸１４のクラッチが自動的に断状態となる。
【００２９】
＜効果＞
以上説明したように本発明の畦塗り機の整畦ドラムによれば、請求項１〜５の構成により以下の作用効果を奏することができる。
【００３０】
（１）．整畦体は、回転しながら畦を形成する整畦ドラムを、回転中心から外周側に向けて複数の整畦板を周方向に等間隔に配設して形成し、各整畦板を相互に連結して各整畦板の境界部分に段差部を形成したので、整畦ドラムは土盛体により供給された泥土を、回転しながら各段差部により間欠的に叩打し、泥土を固めながら元畦に塗りつけ、従来の整畦ドラムに比べ良好な畦を形成することができる。特に、土盛体により供給される泥土の土質が悪い場合や含水率が適当でない場合でも、良好な畦を形成することができる。
【００３１】
（２）．整畦ドラムの隣接する整畦板は相互に所定の重なりを有し、その重なり部分に垂直段部を形成したので、土盛体により供給された泥土を、回転しながら各垂直段部により間欠的に叩打しながら泥土を固めて元畦に塗りつけ、良好な畦を形成することができる。しかも整畦板の重なり部分により泥土が整畦ドラムの内面側に侵入するのを少なくすることができる。
【００３２】
（３）．複数の整畦板を、複数の連結部材により連結して整畦ドラムを形成したので、複雑な形状の整畦ドラムであっても容易に製造することができる。
（４）．複数の連結部材を複数組のもので構成し、そのうちの少なくとも１組のものを整畦板に対し着脱可能としたので、複雑な形状の整畦ドラムの製造が容易となると共に、整畦板が損傷した場合には、その部分の補修や交換を容易に行うことができる。
【００３３】
（５）．複数組の連結部材のうちの少なくとも１組のものを、整畦板に対する固着位置を変更可能としたので、複雑な形状の整畦ドラムでも製造が容易となり、整畦板が損傷した場合に、整畦板の補修や交換を容易に行うことができる。
【符号の説明】
【００３４】
１    畦塗り機
２    トップマスト
３    ロアリンク連結部
４    機枠
４ａ    ロック装置
５    土盛体
６    整畦体
７    支持フレーム
８，９    伝動ケース
１０    デフケース
１１    ヒッチフレーム
１２    入力軸
１３    連結軸
１４    回転軸
１５    第１実施例の整畦ドラム
１５ａ    整畦板
１５ｂ，１５ｃ    連結部材
１５ｄ    段差部
１６    上面修復体
１７    土盛量調節装置
１８    回動用取っ手
１９    作業部回動装置
２０    回転ハンドル
２１    接地輪（コールタ）
２１ａ    上下調節装置
２２    ガススプリング
２３    スタンド
２４    第２実施例の整畦ドラム
２４ａ    整畦板
２４ｂ    重なり部分
２４ｃ，２４ｄ    連結部材
２４ｅ    垂直段部
２５    第３実施例の整畦ドラム
２５ａ    整畦板
２５ｂ    重なり部分
２５ｃ    固定杆
２５ｄ    段部
２６    第４実施例の整畦ドラム
２６ａ    整畦板
２６ｂ    個体板
２６ｃ    垂直段部
２７    第５実施例の整畦ドラム
２７ａ    整畦板
２７ｂ    重なり部分
２７ｃ，２７ｃ    連結片
２７ｄ    垂直段部
２８    第６実施例の整畦ドラム
２８ｂ，２８ｄ    連結部材
２８ｃ    取付け部
【図１】
0005587922.tif 000002
【図２】
0005587922.tif 000003
【図３】
0005587922.tif 000004
【図４】
0005587922.tif 000005
【図５】
0005587922.tif 000006
【図６】
0005587922.tif 000007
【図７】
0005587922.tif 000008
【図８】
0005587922.tif 000009
【図９】
0005587922.tif 000010